(57)【要約】【課題】有端で長尺の牽引部材を使用するとき、牽引部材に十分なテンションを与えて、キャリッジに対して容易に強固に組付けることが難しい。【解決手段】ベルト取付け部３０には、タイミングベルト１４の凹凸部１４ａと係合する凹凸部が設けられた第１係合部３１と、第１係合部３１から連続し、第１係合部３１の配置方向と交わる方向に設けられた第２係合部３２とを有し、第１係合部３１は主走査方向に沿って形成され、第２係合部３２は主走査方向に対して鋭角に折り返す方向に形成している。【選択図】図３
2012076450.tif 000002
【特許請求の範囲】
【請求項１】
画像を形成する画像形成手段が搭載され、主走査方向に移動可能に保持されたキャリッジと、
前記キャリッジの主走査方向の両端部に配設された、駆動源で回転される駆動プーリ及び従動プーリと、
前記駆動プーリと前記従動プーリとの間に掛け回され、両端部がそれぞれ前記キャリッジに取り付けられた有端の牽引部材と、を備え、
前記キャリッジには、前記牽引部材の端部部分を取付ける牽引部材取付け部が設けられ、
前記牽引部材の端部部分の少なくとも一部には表面に凹凸部が設けられ、
前記牽引部材取付け部には、前記牽引部材の凹凸部と係合する少なくとも１つの凹凸部が設けられた第１係合部と、前記第１係合部から連続し、前記第１係合部に対して折り返す方向に設けられた第２係合部とを有し、
前記牽引部材の端部部分は、前記第１係合部に係合する凹凸部を設けた表面が前記第２係合部で折り返された部分の方向を向く状態で、前記牽引部材取付け部に取付けられている
ことを特徴とする画像形成装置。
【請求項２】
前記牽引部材取付け部の前記第２係合部及び前記第２係合部に係合する前記牽引部材の部分にもそれぞれ凹凸部が設けられていることを特徴とする請求項１に記載の画像形成装置。
【請求項３】
前記第１係合部と前記第２係合部との間には前記牽引部材を前記第２係合部から前記第１係合部に案内するガイド部を有していることを特徴とする請求項１又は２に記載の画像形成装置。
【請求項４】
前記第２係合部は前記牽引部材の凹凸部の幅の整数倍の長さの溝を有していることを特徴とする請求項１ないし３のいずれかに記載の画像形成装置。
【請求項５】
前記キャリッジには、
前記牽引部材の前記第１係合部の凹凸部から離間する方向への移動を規制する係合補助部と、
前記牽引部材の前記第１係合部に対する幅方向の移動を規制する抜け止め部が、設けられている
ことを特徴とする請求項１ないし４のいずれかに記載の画像形成装置。
【請求項６】
前記キャリッジには、前記第１係合部の凹凸部に接する方向に押圧する押圧手段を備えていることを特徴とする請求項１ないし５のいずれかに記載の画像形成装置。
【発明の詳細な説明】
【技術分野】
【０００１】
本発明は画像形成装置に関し、特に画像形成手段をキャリッジに搭載した画像形成装置に関する。
【背景技術】
【０００２】
プリンタ、ファクシミリ、複写装置、プロッタ、これらの複合機等の画像形成装置として、例えばインク液滴を吐出する記録ヘッドを用いた液体吐出記録方式の画像形成装置としてインクジェット記録装置などが知られている。この液体吐出記録方式の画像形成装置は、記録ヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙などとも称される。）に対して吐出して、画像形成（記録、印字、印写、印刷も同義語で使用する。）を行なうものである。
【０００３】
なお、本願において、液体吐出方式の「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限るものではなく、吐出されるときに液体となるものであれば特に限定されるものではなく、例えば、ＤＮＡ試料、レジスト、パターン材料なども含まれる。また、「画像」とは平面的なものに限らず、立体的に形成されたものに付与された画像、また立体自体を３次元的に造形して形成された像も含まれる。
【０００４】
このような画像形成装置として、上述したように、画像形成手段である液体吐出ヘッドからなる記録ヘッドをキャリッジに搭載し、液体吐出ヘッドを主走査方向に移動走査し、媒体を主走査方向と直交する副走査方向に間歇的に移動させながら、記録ヘッドから液滴を吐出させて画像を形成するシリアル型画像形成装置が知られている。なお、以下の説明でも画像形成手段は液体吐出ヘッドである例で説明しているが、画像形成手段としては液体吐出ヘッドに限らず、その他の画像形成手段であっても本発明は同様に適用することができる。
【０００５】
シリアル型画像形成装置において、画像形成手段を搭載したキャリッジを主走査方向に移動走査する主走査機構（キャリッジ走査機構）として、駆動源と、駆動源に設けられた駆動プーリと、従動プーリと、駆動プーリと従動プーリとの間に掛け回された牽引部材としての無端状のタイミングベルトとを備え、キャリッジの一部をタイミングベルトに固定したものが一般的である（特許文献１、２）。
【先行技術文献】
【特許文献】
【０００６】
【特許文献１】特許第３７８７５１０号公報
【特許文献２】特開２００７−１５２６０５号公報
【発明の概要】
【発明が解決しようとする課題】
【０００７】
ところで、広幅の被記録媒体に画像を形成する画像形成装置にあっては、キャリッジの主走査距離が長くなり、牽引部材としてのタイミングベルトの長さも長くなる。このような広幅の画像形成に対応するための長尺の無端ベルトはコストが高くなることなどから、有端ベルトを使用することが考えられる。
【０００８】
ところが、主走査距離が長くなると、安定した走査を行なうためにベルトに掛けるテンションを高くする必要があり、ベルトに掛けるテンションが高くなると、有端ベルトの両端部をキャリッジに強固に取り付けなければならなくなる。また、駆動源（駆動モータ）と従動プーリ間の距離に対してベルトの歯数が定まり、ベルトテンションが歯数で管理されるので、ベルトの組み付け時に位置ずれが発生して歯数が変化すると所要のベルトテンションが得られなくなる。
【０００９】
本発明は上記の課題に鑑みてなされたものであり、有端の牽引部材をキャリッジに対して容易に強固に組付けられるようにすることを目的とする。
【課題を解決するための手段】
【００１０】
上記の課題を解決するため、本発明に係る画像形成装置は、
画像を形成する画像形成手段が搭載され、主走査方向に移動可能に保持されたキャリッジと、
前記キャリッジの主走査方向の両端部に配設された、駆動源で回転される駆動プーリ及び従動プーリと、
前記駆動プーリと前記従動プーリとの間に掛け回され、両端部がそれぞれ前記キャリッジに取り付けられた有端の牽引部材と、を備え、
前記キャリッジには、前記牽引部材の端部部分を取付ける牽引部材取付け部が設けられ、
前記牽引部材の端部部分の少なくとも一部には表面に凹凸部が設けられ、
前記牽引部材取付け部には、前記牽引部材の凹凸部と係合する少なくとも１つの凹凸部が設けられた第１係合部と、前記第１係合部から連続し、前記第１係合部に対して折り返す方向に設けられた第２係合部とを有し、
前記牽引部材の端部部分は、前記第１係合部に係合する凹凸部を設けた表面が前記第２係合部で折り返された部分の方向を向く状態で、前記牽引部材取付け部に取付けられている
構成とした。
【００１１】
ここで、前記牽引部材取付け部の前記第２係合部及び前記第２係合部に係合する前記牽引部材の部分にもそれぞれ凹凸部が設けられている構成とできる。
【００１２】
また、前記第１係合部と前記第２係合部との間には前記牽引部材を前記第２係合部から前記第１係合部に案内するガイド部を有している構成とできる。
【００１３】
また、前記第２係合部は前記牽引部材の凹凸部の幅の整数倍の長さの溝を有している構成とできる。
【００１４】
また、前記キャリッジには、
前記牽引部材の前記第１係合部の凹凸部から離間する方向への移動を規制する係合補助部と、
前記牽引部材の前記第１係合部に対する幅方向の移動を規制する抜け止め部が、設けられている
構成とできる。
【００１５】
また、前記キャリッジには、前記第１係合部の凹凸部に接する方向に押圧する押圧手段を備えている構成とできる。
【発明の効果】
【００１６】
本発明に係る画像形成装置によれば、駆動プーリと従動プーリとの間に掛け回され、両端部がそれぞれキャリッジに取り付けられた有端の牽引部材を備え、キャリッジには、キャリッジには、牽引部材の端部部分を取付ける牽引部材取付け部が設けられ、牽引部材の端部部分の少なくとも一部には表面に凹凸部が設けられ、牽引部材取付け部には、牽引部材の凹凸部と係合する少なくとも１つの凹凸部が設けられた第１係合部と、第１係合部から連続し、第１係合部に対して折り返す方向に設けられた第２係合部とを有し、牽引部材の端部部分は、第１係合部に係合する凹凸部を設けた表面が第２係合部で折り返された部分の方向を向く状態で、牽引部材取付け部に取付けられている構成としたので、牽引部材の端部部分をキャリッジの第１、第２係合部に係合させることで取り付けることができ、有端の牽引部材をキャリッジに対して容易に強固に組付けられる。
【図面の簡単な説明】
【００１７】
【図１】本発明に係る画像形成装置としてのインクジェット記録装置の全体構成を示す外観斜視説明図である。
【図２】同装置のキャリッジ走査機構部の斜視説明図である。
【図３】本発明の第１実施形態におけるキャリッジのベルト取付け部のベルト取付け状態の正面説明図である。
【図４】同じくキャリッジのベルト取付け部の斜視説明図である。
【図５】同じくキャリッジのベルト取付け部の正面説明図である。
【図６】本発明の第２実施形態におけるキャリッジのベルト取付け部の正面説明図である。
【図７】本発明の第３実施形態におけるキャリッジのベルト取付け部の正面説明図である。
【図８】本発明の第４実施形態におけるキャリッジのベルト取付け部の要部拡大正面説明図である。
【図９】図８の要部拡大説明図である。
【図１０】本発明の第５実施形態におけるキャリッジのベルト取付け部の斜視説明図である。
【図１１】同じく正面説明図である。
【図１２】同じく断面説明図である。
【図１３】本発明の第６実施形態におけるキャリッジのベルト取付け部のベルト取付け状態の正面説明図である。
【発明を実施するための形態】
【００１８】
以下、本発明の実施形態について添付図面を参照して説明する。本発明に係る画像形成装置としてのインクジェット記録装置の一例について図１及び図２を参照して説明する。なお、図１は同記録装置の全体構成を示す斜視説明図、図２は同じくキャリッジ走査機構部の斜視説明図である。
このインクジェット記録装置は、シリアル型インクジェット記録装置であり、装置本体１と、記録装置本体１を支持する支持台２とを備えている。
【００１９】
記録装置本体１の内部には、図示しない両側板にガイドロッド３及びガイドステー４が掛け渡され、これらのガイドロッド３及びガイドステー４にキャリッジ５が矢示Ａ方向に摺動可能に保持されている。
【００２０】
キャリッジ５には、例えば、ブラック（Ｋ）、イエロー（Ｙ）、マゼンタ（Ｍ）、シアン（Ｃ）の各色のインク滴を吐出する液体吐出ヘッドからなる記録ヘッド６が搭載されている。各記録ヘッド６には図示しないが、各記録ヘッドにインクを供給するヘッドタンクが一体的に備えられている。
【００２１】
そして、キャリッジ５を移動走査する主走査機構部１０は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回された有端の牽引部材であるタイミングベルト１４とを備えている。なお、従動プーリ１３は、図示しないテンションスプリングによって外方（駆動プーリ１２に対して離れる方向）にテンションが架けられている。
【００２２】
このキャリッジ５における主走査領域のうち、記録領域では、用紙２０が吸引搬送部７によってキャリッジ５の主走査方向と直交する方向（副走査方向、用紙搬送方向：矢示Ｂ方向）に間欠的に搬送される。
【００２３】
また、主走査領域のうち一方の端部側領域には、記録ヘッド６の維持回復を行う維持回復機構８が配置されている。さらに、主走査方向のキャリッジ移動領域外又は、上記主走査領域のうち他方の端部側領域には、記録ヘッド６のサブタンクに供給する各色のインクを収容したメインカートリッジ９が記録装置本体１に対して着脱自在に装着される。
【００２４】
また、給紙手段２１には、ロール紙（以下「用紙」という。）２０がセットされているが、幅方向のサイズが異なるロール紙がセット可能である。給紙手段２１から搬送された用紙２０は、装置後方から前方に向けて、図示しない搬送手段により記録領域へ搬送される。そして、キャリッジ５を主走査方向に移動し、用紙１０を間欠的に送りながら、記録ヘッド６を画像情報に応じて駆動して液滴を吐出させることによって、用紙２０上に所要の画像が形成される。さらに、画像形成後の用紙２０は、所定の長さにカットされ、装置正面側に配置された図示しない排紙トレイへ排出される。
【００２５】
次に、このインクジェット記録装置における本発明の第１実施形態について図３ないし図５を参照して説明する。なお、図３は同実施形態におけるキャリッジのベルト取付け部のベルト取付け状態の正面説明図、図４は同じくキャリッジのベルト取付け部の斜視説明図、図５は同じくキャリッジのベルト取付け部の正面説明図である。
【００２６】
キャリッジ５の背面（記録ヘッド６を配置する側を前面とする）には有端のタイミングベルト１４の端部部分１４Ａ、１４Ｂを取付ける牽引部材取付け部としてのベルト取付け部３０が設けられている。
【００２７】
このベルト取付け部３０には、タイミングベルト１４の凹凸部１４ａと係合する凹凸部が設けられた第１係合部３１と、第１係合部３１から連続し、第１係合部３１の配置方向と交わる方向に設けられた第２係合部３２とを有する。ここでは、第１係合部３１は主走査方向に沿って形成され、第２係合部３２は主走査方向（第１係合部３１）に対して鋭角に折り返す方向に形成している。
【００２８】
また、第２係合部３２はタイミングベルト１４を嵌め込む溝形状としている。この第２係合部３２の長さＬ（図５）は、タイミングベルト１４の凹凸部１４ａの凹凸部ピッチの整数倍の長さとしている。つまり、有端のタイミングベルト１４は凹部部分でカットされるので、第２係合部３２の距離Ｌを凹凸部ピッチの整数倍とすることで、駆動源（駆動モータ１１）と従動プーリ１３間の距離に対してタイミングベルト１４の歯数を所定の数に固定することができ、所要のベルトテンションを得ることができる。
【００２９】
なお、第２係合部３２には第１係合部３１と同一直線状でなければよく、また、第１係合部３１も主走査方向に対して所要の角度を持つ方向に形成されていてもよい。
【００３０】
そして、第１係合部３１と第２係合部３２との間には、タイミングベルト１４を第２係合部３２から第１係合部３１に案内するガイド部３３、３３が形成されている。なお、ガイド部３３、３３間はタイミングベルト１４の端部部分１４Ａ、１４Ｂ間を仕切る隔壁部を兼ねている。
【００３１】
また、第１係合部３１への入口部分４１には、タイミングベルト１４が第１係合部３１の凹凸部３１ａから離間する方向に移動するのを規制する係合補助部３４が設けられている。
【００３２】
このように構成したので、図３に示すように、タイミングベルト１４の端部部分１４Ａ、１４Ｂを第１係合部３１及び第２係合部３２に嵌め込み、タイミングベルト１４の凹凸部１４ａを凹凸部３１ａに嵌め合わせることで、タイミングベルト１４をベルト取付け部３０に取り付けることができる。このとき、タイミングベルト１４の端部部分１４Ａは、第１係合部３１に係合する凹凸部１４ａを設けた表面が第２係合部３２で折り返された部分の方向を向く状態で、ベルト取付け部３０に取付けられる
【００３３】
このように、タイミングベルト１４の端部部分１４Ａ、１４Ｂを第１係合部３１及び第２係合部３２に嵌め込むだけで取り付けることができるので、有端のタイミングベルトのキャリッジへの組み付けを容易に行なうことができる。
【００３４】
そして、キャリッジ５の主走査移動のためにタイミングベルト１４が例えば図３で矢示方向に引かれるとき、タイミングベルト１４と第１係合部３１の凹凸係合と、第１係合部３１と第２係合部３２間での折り返しによって、タイミングベルト１４の端部部分１４Ａが第１係合部３１及び第２係合部３２から抜けることはなく、タイミングベルトは各自にキャリッジに保持される。さらに、係合補助部３４によってタイミングベルト１４が第１係合部２１の凹凸部３１ａから離間する方向への移動が規制されているので、より確実に抜けが防止される。
【００３５】
このように、駆動プーリと従動プーリとの間に掛け回され、両端部がそれぞれキャリッジに取り付けられた有端の牽引部材を備え、キャリッジには、キャリッジには、牽引部材の端部部分を取付ける牽引部材取付け部が設けられ、牽引部材の端部部分の少なくとも一部には表面に凹凸部が設けられ、牽引部材取付け部には、牽引部材の凹凸部と係合する少なくとも１つの凹凸部が設けられた第１係合部と、第１係合部から連続し、第１係合部に対して折り返す方向に設けられた第２係合部とを有し、牽引部材の端部部分は、第１係合部に係合する凹凸部を設けた表面が第２係合部で折り返された部分の方向を向く状態で、牽引部材取付け部に取付けられている構成とすることで、牽引部材の端部部分をキャリッジの第１、第２係合部に係合させることで取り付けることができ、有端の牽引部材をキャリッジに対して容易に強固に組付けられる。
【００３６】
次に、本発明の第２実施形態について図６を参照して説明する。なお、図６は同実施形態におけるキャリッジのベルト取付け部の正面説明図である。
【００３７】
本実施形態では、第１係合部３１の入口部分４１に、タイミングベルト１４を凹凸部１４ａが第１係合部３１の凹凸部３１ａに係合する方向に押圧する押圧部３５ａと、タイミングベルト１４の幅方向（この例では副走査方向）への移動を規制する抜け防止部３５ｂと一体に備えるベルト押圧規制部３５を備えている。このベルト押圧規制部３５は、板バネや板金、モールド部材などにて構成することができる。
【００３８】
なお、第１係合部３１の凹凸部３１ａに対向してタイミングベルト１４を押し付ける（加圧する）押圧手段を単独で設けることもできる。
【００３９】
これにより、タイミングベル１４の抜けが防止されて、端の牽引部材をキャリッジに対して容易に強固に組付けられる。
【００４０】
次に、本発明の第３実施形態について図７を参照して説明する。なお、図７は同実施形態におけるキャリッジのベルト取付け部の正面説明図である。
【００４１】
本実施形態では、第２係合部３２の壁面にも、タイミングベルト１４の凹凸部１４ａと係合する凹凸部３２ａが設けられている。これにより、より確実にタイミングベルト１４の抜けを防止できる。
【００４２】
なお、牽引部材としてはタイミングベルトの他、凹凸部を形成できるものであれば、ワイヤやＳＵＳ板などを用いることもできる。
【００４３】
次に、本発明の第４実施形態について図８及び図９を参照して説明する。なお、図８は同実施形態におけるキャリッジのベルト取付け部の要部拡大正面説明図、図９は図８の要部拡大説明図である。
【００４４】
本実施形態では、ベルト押圧規制部３５の押圧部３５ａに対向する第１係合部３５の入口部分４１に、タイミングベルト１４の凹凸部１４ａと係合する凹凸部４１ａを設けている。この凹凸部４１ａは、タイミングベルト１４の凹凸部１４ａと係合することで、凹凸部３１ａと同様の機能を果たす。
【００４５】
ここで、凹凸部４１ａの突出量Ｌ３は、凹凸部３１ａの突出量Ｌ２よりも小さくしている。つまり、押圧部３５ａと凹凸部４１ａとの間隔はタイミングベルト１４の厚さより薄く形成して、押圧部３５ａと凹凸部４１ａとの間に、タイミングベルト１４を圧入して嵌め込むようにしている。そこで、図９に示すように、タイミングベルト１４を嵌め込んだときに、例えば凹凸部４１ａに係合する凸部１４ａ１の両斜面が外側に弾性変形して膨らみ出ても、凹凸部４１ａの突出量Ｌ３が小さいことで、凸部４１ａ１の弾性変形分を吸収することができ、確実にタイミングベルト１４の凹凸部１４ａと凹凸部４１ａとを係合させることができる。
【００４６】
これにより、図９の矢印方向の力がタイミングベルト１４に掛かった場合に、前記第１実施形態に比べて、よりタイミングベルトが抜け難くなる。
【００４７】
次に、本発明の第５実施形態について図１０ないし図１２を参照して説明する。なお、図１０は同実施形態におけるキャリッジのベルト取付け部の斜視説明図、図１１は同じく正面説明図、図１２は同じく断面説明図である。また、図１１では抜け防止部材５１は透過状態で示している。
【００４８】
本実施形態では、前記第２実施形態におけるベルト押圧規制部３５の抜け防止部３５ｂに代えて、押圧部３５ａとは別部材の抜け防止部材５１を備えている。この抜け防止部材５１は、タイミングベルト１４の端部部分１４Ａ、１４Ｂ間に跨って、タイミングベルト１４のベルト幅方向への移動を規制する。
【００４９】
この抜け防止部材５１は、ベルト取り付け部３０に固定する固定面５２と、ガイド部３３を挟む中間面５３と、ベルト取付け部３０のガイド部３３に差し込んで係合する係合面５４とを備えている。
【００５０】
そして、固定面５２には、ベルト取付け部３０に設けられた凸部７３と係合する係合孔６３と、係合後にネジ５５で締結するネジ締結孔６４とが形成されている。固定面５２は、図１１及び図１２に示すように、押圧部３５ａよりもベルト先端側におけるベルト幅方向への移動を規制するようにしてタイミングベルト１４を覆っている。
【００５１】
また、中間面５３には、ベルト幅方向に溝６６が形成されている。この中間面５３は、抜け防止部材５１をベルト取付け部３０に装着したときに、溝６６とガイド部３３とにより、図１１における矢印方向へのタイミングベルト１４の移動を規制する。また、図１２に示すように、中間面５３とタイミングベルト１４の厚さ方向の面が対向していることで、タイミングベルト１４の厚さ方向へのベルト移動も規制する。
【００５２】
この場合、タイミングベルト１４は、第１係合部３１と押圧部３５ａとの間では圧入され固定され、押圧部３５ａよりも先端部分では抜け防止部材５１が設けられていることで、より抜け難くなる。
【００５３】
次に、本発明の第６実施形態について図１３を参照して説明する。なお、図１３は同実施形態におけるキャリッジのベルト取付け部のベルト取付け状態の正面説明図である。
【００５４】
本実施形態では、ベルト取付け部３０の上部側に牽引部材であるタイミングベルト１４が取付けられる構成としている。この場合も、タイミングベルト１４の端部部分１４Ａ、１４Ｂが、第１係合部３１に係合する凹凸部１４ａを設けた表面が第２係合部３２で折り返された部分の方向を向く状態で、ベルト取付け部３０に取付けられている構成とすることで、前記第１実施形態と同様な作用効果を得ることができる。
【００５５】
なお、前記各実施形態の構成を組み合わせて適用することもできる。
【００５６】
また、前記キャリッジのベルト取付け部にかかる構成は、例えば画像読取り装置の読取りヘッドを移動走査する部分にも適用することができる。
【符号の説明】
【００５７】
１  装置本体
５  キャリッジ
６  記録ヘッド
１０  キャリッジ走査機構部
１１  駆動モータ
１２  駆動プーリ
１３  従動プーリ
１４  タイミングベルト（牽引部材）
３０  ヘッド取付け部（係合部）
３１  第１係合部
３２  第２係合部
３３  ガイド部
５１  抜け防止部材
【図１】
2012076450.tif 000003
【図２】
2012076450.tif 000004
【図３】
2012076450.tif 000005
【図４】
2012076450.tif 000006
【図５】
2012076450.tif 000007
【図６】
2012076450.tif 000008
【図７】
2012076450.tif 000009
【図８】
2012076450.tif 000010
【図９】
2012076450.tif 000011
【図１０】
2012076450.tif 000012
【図１１】
2012076450.tif 000013
【図１２】
2012076450.tif 000014
【図１３】
2012076450.tif 000015